(57)【要約】【課題】回路規模の拡大を抑制しつつ、コネクタの裏表を反転させる逆接続に対応可能な技術が提供されることが望まれる。【解決手段】第１の受信部によって受信される第１の受信信号の極性と第２の受信部によって受信される第２の受信信号の極性反転結果の極性との少なくともいずれか一方を極性判定結果信号として検出する極性検出部と、前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、を備える、受信制御装置が提供される。【選択図】図１
2018131242.tif 000002
【特許請求の範囲】
【請求項１】
第１の受信部によって受信される第１の受信信号の極性と第２の受信部によって受信される第２の受信信号の極性反転結果の極性との少なくともいずれか一方を極性判定結果信号として検出する極性検出部と、
前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、
を備える、受信制御装置。
【請求項２】
前記第１の受信部に対して第１の送信部が接続され、かつ、前記第２の受信部に対して第２の送信部が接続される正接続と、前記第１の受信部に対して第２の送信部が接続され、かつ、前記第２の受信部に対して第１の送信部が接続される逆接続とのいずれかの接続が可能である、
請求項１に記載の受信制御装置。
【請求項３】
前記受信制御部は、前記極性判定結果信号が極性無反転を示す場合、前記第３の受信信号が第１の出力ポートに出力されるように制御するとともに、前記第４の受信信号が第２の出力ポートに出力されるように制御する、
請求項１に記載の受信制御装置。
【請求項４】
前記受信制御部は、前記極性判定結果信号が極性反転を示す場合、前記第３の受信信号が前記第２の出力ポートに出力されるように制御するとともに、前記第４の受信信号が前記第１の出力ポートに出力されるように制御する、
請求項３に記載の受信制御装置。
【請求項５】
前記受信制御装置は、
前記第２の受信信号の極性を反転させて前記第２の受信信号の極性反転結果を得る極性反転部を備える、
請求項１に記載の受信制御装置。
【請求項６】
前記極性反転部は、前記極性判定結果信号が極性無反転を示す場合、前記第４の受信信号の極性を反転させ、前記極性判定結果信号が極性反転を示す場合、前記第３の受信信号の極性を反転させる、
請求項５に記載の受信制御装置。
【請求項７】
前記第１の受信信号および前記第２の受信信号それぞれは、極性反転検出用パターンを含み、
前記極性検出部は、前記第１の受信信号および前記第２の受信信号の少なくともいずれか一方に含まれる前記極性反転検出用パターンに基づいて前記極性を検出する、
請求項１に記載の受信制御装置。
【請求項８】
前記極性反転検出用パターンは、極性反転の前後において対応するコードが変化する所定の信号を含み、
前記極性検出部は、前記所定の信号に対応するコードが変化したか否かに基づいて前記極性を検出する、
請求項７に記載の受信制御装置。
【請求項９】
前記極性反転検出用パターンは、所定のパルス信号のパターンを含み、
前記極性検出部は、前記所定のパルス信号のパターンが極性反転しているか否かに基づいて前記極性を検出する、
請求項７に記載の受信制御装置。
【請求項１０】
前記所定のパルス信号のパターンは、前記所定のパルス信号のパターンを複数繋げて反転させて得られる信号の中に含まれないパターンである、
請求項９に記載の受信制御装置。
【請求項１１】
前記受信制御装置は、
前記接続を検出する接続検出部を備え、
前記極性検出部は、前記接続が検出された場合に、前記極性判定結果信号を検出し、
前記受信制御部は、前記接続が検出された場合に、前記第３の受信信号と前記第４の受信信号との出力先を制御する、
請求項２に記載の受信制御装置。
【請求項１２】
前記第１の受信信号および前記第２の受信信号それぞれは、極性反転検出用パターンを含み、
前記極性反転検出用パターンは、前記接続が検出された後の固定信号を含み、
前記極性検出部は、前記固定信号が極性反転しているか否かに基づいて前記極性を検出する、
請求項１１に記載の受信制御装置。
【請求項１３】
前記受信制御部は、前記極性判定結果信号が検出されているか否かに応じて、前記極性反転部による極性反転を有効にするか否かを制御する、
請求項５に記載の受信制御装置。
【請求項１４】
第１の送信信号を送信する第１の送信部と、
第２の送信信号の極性反転結果を送信する第２の送信部と、を備え、
前記第１の送信信号の極性と前記第２の送信信号の極性反転結果の極性との少なくともいずれか一方に基づいて、受信装置における前記第１の送信信号および前記第２の送信信号の出力先が制御される、
送信制御装置。
【請求項１５】
前記第１の送信部に対して第１の受信部が接続され、かつ、前記第２の送信部に対して第２の受信部が接続される正接続と、前記第１の送信部に対して第２の受信部が接続され、かつ、前記第２の送信部に対して第１の受信部が接続される逆接続とのいずれかの接続が可能である、
請求項１４に記載の送信制御装置。
【請求項１６】
前記送信制御装置は、
前記第２の送信信号の極性を反転させて前記第２の送信信号の極性反転結果を得る極性反転部を備える、
請求項１５に記載の送信制御装置。
【請求項１７】
前記送信制御装置は、
前記接続を検出する接続検出部と、
前記接続が検出された場合に、前記第１の送信信号と前記第２の送信信号との少なくともいずれか一方に極性反転検出用パターンを含める送信制御部と、
を備える、請求項１６に記載の送信制御装置。
【請求項１８】
前記送信制御部は、前記極性反転検出用パターンが送信されているか否かに応じて、前記極性反転部による極性反転を有効にするか否かを制御する、
請求項１７に記載の送信制御装置。
【請求項１９】
第１の送信信号を送信する第１の送信部と、
第２の送信信号の極性反転結果を送信する第２の送信部と、
を備える、送信制御装置と、
第１の受信部によって受信される第１の受信信号の極性と第２の受信部によって受信される第２の受信信号の極性反転結果の極性との少なくともいずれか一方を極性判定結果信号として検出する極性検出部と、
前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、
を備える、受信制御装置と、
を有する、送受信制御システム。
【請求項２０】
前記第１の送信部に対して第１の受信部が接続され、かつ、前記第２の送信部に対して第２の受信部が接続される正接続と、前記第１の送信部に対して第２の受信部が接続され、かつ、前記第２の送信部に対して第１の受信部が接続される逆接続とのいずれかの接続が可能である、
請求項１９に記載の送受信制御システム。
【発明の詳細な説明】
【技術分野】
【０００１】
本開示は、送信制御装置、受信制御装置および送受信制御システムに関する。
【背景技術】
【０００２】
近年、機器間接続のインタフェースとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、Ｄｉｓｐｌａｙ  Ｐｏｒｔ（以下、単に「ＤＰ」とも言う。）などが知られている。ＨＤＭＩおよびＤＰなどは、コネクタを１８０度回転させてコネクタの裏表を反転させる逆接続に対応しておらず、機械的にコネクタとレセプタとを接続することができない。【０００３】
また、機器間接続のインタフェースとして、ＵＳＢ（Ｕｎｉｖｅｒｓａｌ  Ｓｅｒｉａｌ  Ｂｕｓ）も知られている。ＵＳＢのうちｔｙｐｅ−Ｃ以外は、ＨＤＭＩなどと同じように逆接続に対応していないが、ＵＳＢのうちｔｙｐｅ−Ｃは、逆接続に対応している。しかし、ｔｙｐｅ−Ｃにおいては、ＣＣ１信号およびＣＣ２信号によって逆接続が検出される。すなわち、ｔｙｐｅ−Ｃにおいては、データ伝送用のレーンとは別に逆接続検出用のレーンが追加されている。【０００４】
しかし、回路規模の拡大を抑えるため、逆接続検出用のレーンを追加せずとも、コネクタの逆接続に対応する技術が求められる。そこで、一例として、差動信号の極性反転を検出し、検出結果に基づいて極性変更を行う技術が提案されている（例えば、特許文献１参照）。
【先行技術文献】
【特許文献】
【０００５】
【特許文献１】特開平６−８５７９６号公報
【発明の概要】
【発明が解決しようとする課題】
【０００６】
しかし、回路規模の拡大を抑制しつつ、コネクタの裏表を反転させる逆接続に対応可能な技術が提供されることが望まれる。
【課題を解決するための手段】
【０００７】
本開示によれば、第１の受信部によって受信される第１の受信信号の極性と第２の受信部によって受信される第２の受信信号の極性反転結果の極性との少なくともいずれか一方を極性判定結果信号として検出する極性検出部と、前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、を備える、受信制御装置が提供される。【０００８】
本開示によれば、第１の送信信号を送信する第１の送信部と、第２の送信信号の極性反転結果を送信する第２の送信部と、を備え、前記第１の送信信号の極性と前記第２の送信信号の極性反転結果の極性との少なくともいずれか一方に基づいて、受信装置における前記第１の送信信号および前記第２の送信信号の出力先が制御される、送信制御装置が提供される。【０００９】
本開示によれば、第１の送信信号を送信する第１の送信部と、第２の送信信号の極性反転結果を送信する第２の送信部と、を備える、送信制御装置と、第１の受信部によって受信される第１の受信信号の極性と第２の受信部によって受信される第２の受信信号の極性反転結果の極性との少なくともいずれか一方を極性判定結果信号として検出する極性検出部と、前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、を備える、受信制御装置と、を有する、送受信制御システムが提供される。
【発明の効果】
【００１０】
以上説明したように本開示によれば、回路規模の拡大を抑制しつつ、コネクタの裏表を反転させる逆接続に対応可能な技術が提供される。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１１】
【図１】第１の実施形態に係る信号伝送システムの構成の一例を示す図である。
【図２】第１の実施形態に係る送信器の詳細構成の一例を示す図である。
【図３】第１の実施形態に係る受信器の詳細構成の一例を示す図である。
【図４】Ｍ＝２の場合の２つのレセプタそれぞれにおける信号配置例を示す図である。
【図５】符号化方式として８ｂ１０ｂが用いられる場合における極性反転検出用パターンの例を説明するための図である。
【図６】パルス信号のパターンの第１の例を示す図である。
【図７】パルス信号のパターンの第２の例を示す図である。
【図８】パルス信号のパターンの第３の例を示す図である。
【図９】第２の実施形態に係る信号伝送システムの構成の一例を示す図である。
【図１０】第２の実施形態に係る信号伝送システムの構成の一例を示す図である。
【図１１】第３の実施形態に係る信号伝送システムの構成の一例を示す図である。
【図１２】第３の実施形態に係る送信器の構成例を示す図である。
【図１３】第３の実施形態に係る受信器の構成例を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
また、本明細書および図面において、実質的に同一の機能構成を有する複数の構成要素を、同一の符号の後に異なる数字を付して区別する。ただし、実質的に同一の機能構成を有する複数の構成要素等の各々を特に区別する必要がない場合、同一符号のみを付する。また、異なる実施形態の類似する構成要素については、同一の符号の後に異なるアルファベットを付して区別する。
【００１４】
なお、説明は以下の順序で行うものとする。
０．概要
１．第１の実施形態
１．１．信号伝送システムの構成
１．２．送信装置の構成
１．３．受信装置の構成
１．４．動作の説明
１．４．１．正接続時
１．４．２．逆接続時
１．５．効果の説明
１．６．各種の変形例
２．第２の実施形態
２．１．信号伝送システムの構成
２．２．効果の説明
２．３．各種の変形例
３．第３の実施形態
３．１．信号伝送システムの構成
３．２．送信装置の構成
３．３．受信装置の構成
３．４．効果の説明
４．むすび
【００１５】
（０．概要）
まず、本実施形態の概要について説明する。近年、機器間接続のインタフェースとして、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤＰ（Ｄｉｓｐｌａｙ  Ｐｏｒｔ）などが知られている。ＨＤＭＩおよびＤＰなどは、コネクタを１８０度回転させてコネクタの裏表を反転させる逆接続に対応しておらず、機械的にコネクタとレセプタとを接続することができない。
【００１６】
また、機器間接続のインタフェースとして、ＵＳＢ（Ｕｎｉｖｅｒｓａｌ  Ｓｅｒｉａｌ  Ｂｕｓ）も知られている。ＵＳＢのうちｔｙｐｅ−Ｃ以外は、ＨＤＭＩなどと同じように逆接続に対応していないが、ＵＳＢのうちｔｙｐｅ−Ｃは、逆接続に対応している。しかし、ｔｙｐｅ−Ｃにおいては、ＣＣ１信号およびＣＣ２信号によって逆接続が検出される。すなわち、ｔｙｐｅ−Ｃにおいては、データ伝送用のレーンとは別に逆接続検出用のレーンが追加されている。
【００１７】
しかし、回路規模の拡大を抑えるため、逆接続検出用のレーンを追加せずとも、コネクタの逆接続に対応する技術が求められる。そこで、一例として、差動信号の極性反転を検出し、検出結果に基づいて極性変更を行う技術が提案されている（例えば、特開平６−８５７９６号公報参照）。しかし、かかる技術をコネクタ接続に適用しようとした場合、差動信号が伝送される２本の信号線がコネクタの中心を基準として点対称な位置に配置される必要があり、配線上の制約が生じ得る。また、かかる技術は、差動信号ではない信号（例えば、光信号など）が伝送される場合には適用され得ない。
【００１８】
また、ＰＣＩ（Ｐｅｒｉｐｈｅｒａｌ  Ｃｏｍｐｏｎｅｎｔ  Ｉｎｔｅｒｃｏｎｎｅｃｔ）  ｅｘｐｒｅｓｓでは、８ｂ１０ｂ信号においてＤ１０．２の信号が極性反転によってＤ２１．５の信号に置き換わることを利用して、差動信号の極性反転を検出する技術が規定されている。しかし、かかる技術をコネクタ接続に適用しようとした場合、同様に配線上の制約が生じ得る。また、かかる技術は、差動信号ではない信号（例えば、光信号など）が伝送される場合には適用され得ない。さらに、かかる技術は、８ｂ１０ｂ信号以外の信号には適用され得ない。
【００１９】
そこで、本明細書においては、回路規模の拡大を抑制しつつ、コネクタの裏表を反転させる逆接続に対応可能な技術を主に提案する。より具体的に、本明細書においては、逆接続検出用のレーンの追加を必要とせずとも逆接続に対応可能であり、かつ、差動信号を用いずとも逆接続に対応可能な技術を主に提案する。なお、以下に説明するように、逆接続への対応には、逆接続の検出および逆接続が検出された場合になされる信号交換機構が含まれてよい。
【００２０】
以上、本実施形態の概要について説明した。
【００２１】
（１．第１の実施形態）
続いて、第１の実施形態について説明する。
【００２２】
（１−１．信号伝送システムの構成）
まず、第１の実施形態に係る信号伝送システム１Ａの構成例について説明する。図１は、第１の実施形態に係る信号伝送システム１Ａの構成の一例を示す図である。図１に示すように、信号伝送システム１Ａは、送信装置１０Ａと受信装置２０Ａとを有する。また、送信装置１０Ａと受信装置２０Ａとは、伝送路３０を介して接続されている。
【００２３】
なお、本明細書においては、送信信号として映像信号が扱われる例について主に説明するが、送信信号として音声信号およびその他の種類の信号も映像信号と同様に扱われ得る。また、送信信号は、光信号ではなく、電気信号といった他の信号であってもよい。送信装置１０Ａは、「送信制御装置」として機能し得る。また、受信装置２０Ａは、「受信制御装置」として機能し得る。信号伝送システム１Ａは、「送受信制御システム」として機能し得る。
【００２４】
（１−２．送信装置の構成）
続いて、送信装置１０Ａの構成について説明する。送信装置１０Ａは、複数の送信信号を複数のレーンに送信する装置である。送信信号♯１１〜♯Ｍ２は、（２×Ｍ）種類の信号であり、送信装置１０Ａに入力される。送信信号♯１１〜♯Ｍ２それぞれは、極性反転した場合に極性反転の検出を可能とする所定の信号パターン（以下、「極性反転検出用パターン」とも言う。）を含んでよい。かかる極性反転用パターンの例に関しては、後に詳細に説明する。
【００２５】
図１に示すように、送信装置１０Ａは、送信器１１０−１〜１１０−Ｍおよびレセプタ１９０を備える。送信器１１０−１〜１１０−Ｍは、送信信号♯１１〜♯Ｍ２をレーン３０５−１１〜３０５−Ｍ２に送信する。具体的に、送信器１１０−１〜１１０−Ｍそれぞれには、２種類の送信信号が入力される。送信器１１０−１には、送信信号♯１１および送信信号♯１２が入力され、送信器１１０−２には、送信信号♯２１および送信信号♯２２が入力され、送信器１１０−Ｍには、送信信号♯Ｍ１および送信信号♯Ｍ２が入力される。
【００２６】
そして、送信器１１０−１〜１１０−Ｍは、対応する２つのレーンに２種類の送信信号を送信する。具体的に、送信器１１０−１は、対応するレーン３０５−１１、３０５−１２に繋がっており、送信器１１０−２は、対応するレーン３０５−２１、３０５−２２に繋がっており、送信器１１０−Ｍは、対応するレーン３０５−Ｍ１、３０５−Ｍ２に繋がっている。
【００２７】
図２は、第１の実施形態に係る送信器１１０の詳細構成の一例を示す図である。図２に示すように、入力ポート１１１−１および入力ポート１１１−２は、それぞれ送信信号が入力されるポートである。送信器１１０は、極性反転部１１２−１、送信部（第１の送信部）１１３−１および送信部（第２の送信部）１１３−２を含む。極性反転部１１２−１は、入力ポート１１１−２から入力された送信信号を反転させて出力する。送信部１１３−１は、入力ポート１１１−１から入力された送信信号を送信する。一方、送信部１１３−２は、極性反転部１１２−１によって極性反転された送信信号を送信する。
【００２８】
具体的に、送信部１１３−１は、ＬＤ（レーザダイオード）を有する。ＬＤは送信信号を出力ポート１１９−１（例えば、光出力ポートなど）から出力する。同様に、送信部１１３−２は、ＬＤを有する。ＬＤは極性反転された送信信号を出力ポート１１９−２（例えば、光出力ポートなど）から出力する。出力ポート１１９−１からの出力信号と出力ポート１１９−２からの出力信号とは、逆接続時においては、受信装置２０Ａに対して入れ替わって入力される。
【００２９】
なお、本実施形態においては、レーン３０５−１１〜３０５−Ｍ２が光ファイバによって構成され、ＬＤが送信信号を光信号に変換してから光ファイバを介して受信装置２０Ａに送信する場合を主に想定する。しかし、送信信号の種類は限定されない。例えば、送信装置１０Ａは電気信号により送信信号を受信装置２０Ａに送信してもよい。
【００３０】
図１に戻って説明を続ける。伝送路３０にはレーン３０５−１１〜３０５−Ｍ２（Ｍは２以上の整数）が含まれている。ここでは、レーン３０５の本数が（２×Ｍ）本として示されているが、レーン３０５の本数は複数であれば特に限定されない。
【００３１】
（１−３．受信装置の構成）
続いて、受信装置２０Ａの構成について説明する。受信装置２０Ａは、複数の送信信号を複数の受信信号として複数のレーンから受信する装置である。図１に示すように、受信装置２０Ａは、受信器２１０−１〜２１０−Ｍ、受信制御部２４０−１およびレセプタ２９０を備える。受信器２１０−１〜２１０−Ｍは、送信信号♯１１〜♯Ｍ２を受信信号♯１１〜♯Ｍ２としてレーン３０５−１１〜３０５−Ｍ２から受信する。具体的に、受信器２１０−１〜２１０−Ｍそれぞれには、２種類の送信信号が入力される。そして、受信器２１０−１〜２１０−Ｍは、対応する２つの出力先に２種類の受信信号を出力する。
【００３２】
図３は、第１の実施形態に係る受信器２１０の詳細構成の一例を示す図である。入力ポート２１１−１および入力ポート２１１−２は、それぞれ送信信号が入力されるポートである。入力ポート２１１−１からの入力信号と入力ポート２１１−２からの入力信号とは、逆接続時においては入れ替わって入力される。受信器２１０は、受信部（第１の受信部）２１２−１、受信部（第２の受信部）２１２−２、スイッチ２１４−１、スイッチ２１４−２、極性反転部２１５−１、極性検出部２１６−１および極性検出部２１６−２を備える。
【００３３】
受信部２１２−１は、入力ポート２１１−１からの入力信号を受信信号として受信する。また、受信部２１２−２は、入力ポート２１１−２からの入力信号を受信信号として受信する。例えば、受信部２１２−１は、アナログデジタル変換器およびＰＤ（フォトディテクタ）を有する。同様に、受信部２１２−２は、アナログデジタル変換器およびＰＤを有する。ＰＤは光信号によって入力された入力信号を受光して電気信号に変換する。
【００３４】
なお、本実施形態においては、レーン３０５−１１〜３０５−Ｍ２が光ファイバによって構成され、ＰＤが光信号によって入力された入力信号を受光して電気信号に変換する場合を主に想定する。しかし、上記したように、送信装置１０Ａから受信装置２０Ａに送信される信号の種類は限定されない。例えば、受信装置２０Ａは電気信号により送信信号を送信装置１０Ａから受信してもよい。
【００３５】
スイッチ２１４−１およびスイッチ２１４−２は、信号選択スイッチであり、交換制御信号２１３に従って受信部２１２−１からの受信信号と受信部２１２−２からの受信信号とに対して交換を行わずに（無交換）または交換を行った後に後段に出力する。スイッチ２１４−１からは、受信信号が極性検出部２１６−１および出力ポート（第１の出力ポート）２１９−１に出力される。一方、スイッチ２１４−２からは、受信信号が極性反転部２１５−１および出力ポート（第２の出力ポート）２１９−２に出力される。
【００３６】
極性反転部２１５−１は、スイッチ２１４−２から出力された受信信号に対して極性反転を行う。極性が反転された受信信号は、極性検出部２１６−２および出力ポート２１９−２に出力される。
【００３７】
極性検出部２１６−１は、スイッチ２１４−１から出力された受信信号の極性反転の有無を判定する（極性を検出する）。より具体的には、極性検出部２１６−１は、スイッチ２１４−１から出力された受信信号に極性反転検出用パターンが含まれている場合、極性反転検出用パターンによって極性反転の有無を検出してよい。極性検出部２１６−１は、極性反転の有無を極性判定結果信号２１７−１として出力する。
【００３８】
図１に戻って説明を続ける。受信制御部２４０−１には、受信器２１０−１〜２１０−Ｍそれぞれから出力された極性判定結果信号が入力される。受信制御部２４０−１は、受信器２１０−１から出力された極性判定結果信号に対応する交換制御信号を受信器２１０−１に出力する。同様に、受信制御部２４０−１は、受信器２１０−２から出力された極性判定結果信号に応じた交換制御信号を受信器２１０−２に出力する。また、受信制御部２４０−１は、受信器２１０−Ｍから出力された極性判定結果信号に対応する交換制御信号を受信器２１０−Ｍに出力する。
【００３９】
また、受信器２１０−１〜２１０−Ｍからは、（２＊Ｍ）種類の受信信号が出力される。具体的に、受信器２１０−１からは、受信信号♯１１および受信信号♯１２が出力される。同様に、受信器２１０−１からは、受信信号♯２１および受信信号♯２２が出力される。また、受信器２１０−１からは、受信信号♯Ｍ１および受信信号♯Ｍ２が出力される。
【００４０】
続いて、レセプタ１９０およびレセプタ２９０それぞれにおける信号配置例を説明する。ここでは、送信器１１０の数が２である場合（Ｍ＝２の場合）を想定する。図４は、Ｍ＝２の場合のレセプタ１９０およびレセプタ２９０それぞれにおける信号配置例を示す図である。図４に示すように、レセプタ１９０は、送信装置１０Ａに備えられ、レセプタ２９０は、受信装置２０Ａに備えられている。
【００４１】
ここで、レセプタ１９０の中心を基準として互いに点対称な位置に存在する接続部１９０１と接続部１９０２には、１つ目の送信器１１０−１から出力された送信信号対（送信信号♯１１および送信信号♯１２）が配置される。また、レセプタ１９０の中心を基準として互いに点対称な位置に存在する接続部１９０３と接続部１９０４には、２つ目の送信器１１０−２から出力された送信信号対（送信信号♯２１および送信信号♯２２）が配置される。
【００４２】
正接続時には、接続部１９０１と接続部２１０１とがレーン３０５−１１によって接続され、接続部１９０２と接続部２１０２とがレーン３０５−１２によって接続される。このとき、送信器１１０−１における送信部１１３−１と受信器２１０−１における受信部２１２−１とが接続され、送信器１１０−１における送信部１１３−２と受信器２１０−１における受信部２１２−２とが接続される。
【００４３】
一方、逆接続時には、接続部１９０１と接続部２１０２とがレーン３０５−１１によって接続され、接続部１９０２と接続部２１０１とがレーン３０５−１２によって接続される。このとき、送信器１１０−１における送信部１１３−１と受信器２１０−１における受信部２１２−２とが接続され、送信器１１０−１における送信部１１３−２と受信器２１０−１における受信部２１２−１とが接続される。
【００４４】
すなわち、正接続と逆接続とにおいては、送信器１１０−１から出力される送信信号対（送信信号♯１１および送信信号♯１２）が反対になる。
【００４５】
同様に、正接続時には、接続部１９０３と接続部２１０３とがレーン３０５−２１によって接続され、接続部１９０４と接続部２１０４とがレーン３０５−２２によって接続される。このとき、送信器１１０−２における送信部１１３−１と受信器２１０−２における受信部２１２−１とが接続され、送信器１１０−２における送信部１１３−２と受信器２１０−２における受信部２１２−２とが接続される。
【００４６】
一方、逆接続時には、接続部１９０３と接続部２１０４とがレーン３０５−２１によって接続され、接続部１９０４と接続部２１０３とがレーン３０５−２２によって接続される。このとき、送信器１１０−２における送信部１１３−１と受信器２１０−２における受信部２１２−１とが接続され、送信器１１０−２における送信部１１３−２と受信器２１０−２における受信部２１２−２とが接続される。
【００４７】
すなわち、正接続と逆接続とにおいては、送信器１１０−２から出力される送信信号対（送信信号♯２１および送信信号♯２２）が反対になる。
【００４８】
（１−４．動作の説明）
続いて、図１〜図４を参照しながら、本開示の第１の実施形態に係る信号伝送システム１Ａの動作の例について説明する。具体的には、逆接続検出および信号交換の動作の例について説明する。まず、正接続時における動作の例について説明し、その後に逆接続時における動作の例について説明する。
【００４９】
（１−４−１．正接続時）
正接続時における動作の例について説明する。送信器１１０−１〜１１０−Ｍそれぞれにおいて入力ポート１１１−１から入力された入力信号は、極性反転することなく出力ポート１１９−１から出力され、正接続時であるため、受信器２１０−１〜１１０−Ｍそれぞれにおいて入力ポート２１１−１に入力される（かかる入力信号は、受信部２１２−１によって第１の受信信号として受信される）。交換制御信号２１３は初期値として無交換を示すため、入力ポート２１１−１から入力された入力信号がスイッチ２１４−１から極性検出部２１６−１および出力ポート２１９−１に出力される。極性検出部２１６−１は、かかる入力信号に基づいて極性反転が無い旨を示す判定結果を極性判定結果信号２１７−１として出力する。
【００５０】
一方、送信器１１０−１〜１１０−Ｍそれぞれにおいて入力ポート１１１−２から入力された入力信号は、極性反転部２１５−１によって極性反転され、出力ポート１１９−２から出力され、正接続時であるため、受信器２１０において入力ポート２１１−２に入力される（かかる入力信号は、受信部２１２−２によって第２の受信信号として受信される）。交換制御信号２１３は初期値として無交換を示すため、入力ポート２１１−２から入力された入力信号がスイッチ２１４−２から極性反転部２１５−１に出力される。
【００５１】
極性反転部２１５−１においては、極性反転部１１２−１における極性反転に続いて再度の極性反転がされるため、極性反転部２１５−１からは、入力ポート１１１−２に入力された入力信号に対して極性反転の無い信号が極性検出部２１６−２および出力ポート２１９−１に出力される。極性検出部２１６−２においては、極性反転が無い旨を示す判定結果が極性判定結果信号２１７−２として出力される。
【００５２】
受信制御部２４０−１には、それぞれ極性反転が無い旨を示す極性判定結果信号２１７−１および極性判定結果信号２１７−２が入力されるため、受信制御部２４０−１は、無交換を示す交換制御信号２１３を受信器２１０−１〜２１０−Ｍに出力する。続いて、送信器１１０−１〜１１０−Ｍそれぞれにおいて入力ポート１１１−１から入力された入力信号は、受信器２１０−１〜２１０−Ｍそれぞれの入力ポート２１１−１に入力される（かかる入力信号は、受信部２１２−１によって第３の受信信号として受信される）。そして、交換制御信号２１３が無交換を示すため、かかる入力信号は、スイッチ２１４−１から出力ポート２１９−１に出力される。
【００５３】
一方、送信器１１０−１〜１１０−Ｍそれぞれにおいて入力ポート１１１−２から入力された入力信号は、極性反転部１１２−１によって極性反転され、正接続時であるため、受信器２１０−１〜２１０−Ｍそれぞれの入力ポート２１１−２に入力される（かかる入力信号は、受信部２１２−２によって第４の受信信号として受信される）。そして、交換制御信号２１３が無交換を示すため、極性反転された入力信号は、スイッチ２１４−２から極性反転部２１５−１に出力される。極性反転部２１５−１においては、極性反転部１１２−１における極性反転に続いて再度の極性反転がされるため、極性反転部２１５−１からは、入力ポート１１１−２に入力された入力信号に対して極性反転の無い信号が極性検出部２１６−２および出力ポート２１９−１に出力される。
【００５４】
このような制御の結果として、送信器１１０−１〜１１０−Ｍそれぞれにおいて入力ポート１１１−１から入力された送信信号が、受信器２１０−１〜２１０−Ｍそれぞれにおいて出力ポート２１９−１から受信信号として出力される。一方、送信器１１０−１〜１１０−Ｍそれぞれにおいて入力ポート１１１−２から入力された送信信号が、受信器２１０−１〜２１０−Ｍそれぞれにおいて出力ポート２１９−２から受信信号として出力される。
【００５５】
（１−４−２．逆接続時）
続いて、逆接続時における動作の例について説明する。送信器１１０−１〜１１０−Ｍそれぞれにおいて入力ポート１１１−１から入力された入力信号は、極性反転することなく出力ポート１１９−１から出力され、逆接続時であるため、受信器２１０−１〜１１０−Ｍそれぞれにおいて入力ポート２１１−２に入力される（かかる入力信号は、受信部２１２−２によって第４の受信信号として受信される）。交換制御信号２１３は初期値として無交換を示すため、入力ポート２１１−２から入力された入力信号がスイッチ２１４−２から極性反転部２１５−１に出力される。
【００５６】
極性反転部２１５−１においては、極性反転がされるため、極性反転部２１５−１からは、入力ポート１１１−１に入力された入力信号に対して極性反転された信号が極性検出部２１６−２および出力ポート２１９−２に出力される。極性検出部２１６−２においては、極性反転が有る旨を示す判定結果が極性判定結果信号２１７−２として出力される。
【００５７】
一方、送信器１１０−１〜１１０−Ｍそれぞれにおいて入力ポート１１１−２から入力された入力信号は、極性反転部２１５−１によって極性反転され、出力ポート１１９−２から出力され、逆接続時であるため、受信器２１０において入力ポート２１１−１に入力される（かかる入力信号は、受信部２１２−１によって第３の受信信号として受信される）。交換制御信号２１３は初期値として無交換を示すため、入力ポート２１１−１から入力された入力信号がスイッチ２１４−１から極性検出部２１６−１および出力ポート２１９−１に出力される。
【００５８】
極性検出部２１６−１は、かかる入力信号に基づいて極性反転が有る旨を示す判定結果を極性判定結果信号２１７−１として出力する。
【００５９】
受信制御部２４０−１には、それぞれ極性反転が有る旨を示す極性判定結果信号２１７−１および極性判定結果信号２１７−２が入力されるため、受信制御部２４０−１は、交換を示す交換制御信号２１３を受信器２１０−１〜２１０−Ｍに出力する。続いて、送信器１１０−１〜１１０−Ｍそれぞれにおいて入力ポート１１１−１から入力された入力信号は、逆接続時であるため、受信器２１０−１〜２１０−Ｍそれぞれの入力ポート２１１−２に入力される（かかる入力信号は、受信部２１２−２によって第４の受信信号として受信される）。そして、交換制御信号２１３が交換を示すため、かかる入力信号は、スイッチ２１４−１から出力ポート２１９−１に出力される。
【００６０】
一方、送信器１１０−１〜１１０−Ｍそれぞれにおいて入力ポート１１１−２から入力された入力信号は、極性反転部１１２−１によって極性反転され、逆接続時であるため、受信器２１０−１〜２１０−Ｍそれぞれの入力ポート２１１−１に入力される（かかる入力信号は、受信部２１２−１によって第３の受信信号として受信される）。そして、交換制御信号２１３が交換を示すため、極性反転された入力信号は、スイッチ２１４−２から極性反転部２１５−１に出力される。極性反転部２１５−１においては、極性反転部１１２−１における極性反転に続いて再度の極性反転がされるため、極性反転部２１５−１からは、入力ポート１１１−２に入力された入力信号に対して極性反転の無い信号が極性検出部２１６−２および出力ポート２１９−１に出力される。
【００６１】
このような制御の結果として、送信器１１０−１〜１１０−Ｍそれぞれにおいて入力ポート１１１−１から入力された送信信号が、受信器２１０−１〜２１０−Ｍそれぞれにおいて出力ポート２１９−１から受信信号として出力される。一方、送信器１１０−１〜１１０−Ｍそれぞれにおいて入力ポート１１１−２から入力された送信信号が、受信器２１０−１〜２１０−Ｍそれぞれにおいて出力ポート２１９−２から受信信号として出力される。
【００６２】
（１−５．効果の説明）
以上に説明したように、本開示の第１の実施形態によれば、正接続時と逆接続時とにおいて、送信器１１０−１〜１１０−Ｍへの送信信号の入力位置と受信器２１０−１〜２１０−Ｍそれぞれからの受信信号の出力位置との対応関係が変化されずに済む。したがって、本開示の第１の実施形態によれば、回路規模の拡大を抑制しつつ、コネクタの裏表を反転させる逆接続に対応可能となる。より具体的に、本開示の第１の実施形態によれば、逆接続検出用のレーンの追加を必要とせずとも逆接続に対応可能であり、かつ、差動信号を用いずとも逆接続に対応可能となる。
【００６３】
（１−６．各種の変形例）
上記においては、受信制御部２４０−１が、極性判定結果信号２１７−１および極性判定結果信号２１７−２が同じ判定結果を示す場合に、その判定結果に対応する交換制御信号２１３を受信器２１０−１〜２１０−Ｍに出力する例を主に説明した。しかし、受信制御部２４０−１は、極性判定結果信号２１７−１および極性判定結果信号２１７−２のいずれか一方に対応する交換制御信号２１３を受信器２１０−１〜２１０−Ｍに出力してもよい。
【００６４】
また、上記においては、受信装置２０Ａが、極性検出部２１６−１および極性検出部２１６―２の双方を備える例を主に説明した。しかし、受信装置２０Ａは、極性検出部２１６−１および極性検出部２１６−２のいずれか一方のみを備えていてもよい。このとき、極性検出部２１６−１および極性検出部２１６―２のいずれか一方は、極性判定結果信号を受信制御部２４０−１に出力する。また、極性反転検出用パターンは、極性検出がされる送信信号のみに含まれていてもよい。
【００６５】
また、上記においては、受信制御部２４０−１が、受信器２１０−１〜２１０−Ｍそれぞれから入力される極性判定結果信号２１７が同じ判定結果を示す場合に、その判定結果に対応する交換制御信号２１３を受信器２１０−１〜２１０−Ｍに出力する例を主に説明した。しかし、受信制御部２４０−１は、受信器２１０−１〜２１０−Ｍそれぞれから入力される極性判定結果信号の少なくともいずれか一つに対応する交換制御信号２１３を受信器２１０−１〜２１０−Ｍに出力してもよい。
【００６６】
また、極性反転検出用パターンの例は特に限定されない。一例として、極性反転検出用パターンは、極性反転の前後において対応するコードが変化する所定の信号を含んでもよい。このとき、極性検出部２１６は、所定の信号に対応するコードが変化したか否かに基づいて極性を検出すればよい。極性反転検出用パターンとして、ここでは、符号化方式として８ｂ１０ｂが用いられる場合について説明する。
【００６７】
図５は、符号化方式として８ｂ１０ｂが用いられる場合における極性反転検出用パターンの例を説明するための図である。図５を参照すると、極性反転前の信号が「元信号」として示され、極性反転後の信号が「極性反転信号」として示されている。図５に示すように、コードの例としてのＫ２８．５は、極性反転後においてもＫ２８．５である。一方、コードの例としてのＤ１０．２は、極性反転後において、Ｄ２１．５に変化する。したがって、コードの変化が生じたか否かによって極性の検出が可能である。
【００６８】
なお、Ｋ２８．５およびＤ１０．２は、Ｄｉｓｐｌａｙ  ＰｏｒｔのＬｉｎｋ  Ｔｒａｉｎｉｎｇ時のテストパターンであるＴＰＳ２，ＴＰＳ３に含まれる。一方、Ｄ２１．５は、ＴＰＳ２，ＴＰＳ３に含まれない。したがって、Ｄ２１．５が生じたか否かによって極性を検出すればよいため、Ｄｉｓｐｌａｙ  Ｐｏｒｔを基盤とする場合に対しても、本実施形態に係る信号伝送システム１Ａを適用することが可能である。
【００６９】
また、他の一例として、極性反転検出用パターンは、所定のパルス信号のパターンを含んでもよい。このとき、極性検出部２１６は、パルス信号のパターンが極性反転しているか否かに基づいて極性を検出すればよい。以下では、パルス信号のパターンの例として幾つかのパターンを説明する。
【００７０】
図６は、パルス信号のパターンの第１の例を示す図である。図６を参照すると、極性反転前の信号が「元信号」として示され、極性反転後の信号が「極性反転信号」として示されている。また、「元信号」は、パルス信号のパターン（１周期）が繰り返されてなる。このとき、パルス信号のパターン（１周期）が、所定のパルス信号のパターン（１周期）を複数繋げて反転させて得られる信号の中に含まれてしまうと、「元信号」および「極性反転信号」の双方からパルス信号のパターン（１周期）が検出され得ることになるため、極性が検出されなくなってしまう。
【００７１】
そこで、パルス信号のパターン（１周期）は、所定のパルス信号のパターン（１周期）を複数繋げて反転させて得られる信号の中に含まれないのがよい。図６に示した例では、パルス信号のパターン（１周期）は、所定のパルス信号のパターン（１周期）を複数繋げて反転させて得られる信号の中に含まれないため、パルス信号のパターン（１周期）がハイレベルによって（例えば、パルス信号のパターンがハイレベルから始まるかローレベルから始まるかによって）極性が検出され得る。なお、図６に示した例では、「元信号」のＤｕｔｙ比が５０％である。
【００７２】
図７は、パルス信号のパターンの第２の例を示す図である。図７を参照すると、極性反転前の信号が「元信号」として示され、極性反転後の信号が「極性反転信号」として示されている。「元信号」は、パルス信号のパターン（１周期）が繰り返されてなる。図７に示した例においても、パルス信号のパターン（１周期）は、所定のパルス信号のパターン（１周期）を複数繋げて反転させて得られる信号の中に含まれないため、パルス信号のパターン（１周期）によって極性が検出され得る。なお、図７に示した例では、「元信号」のＤｕｔｙ比が２５％／７５％である。
【００７３】
図８は、パルス信号のパターンの第３の例を示す図である。図８を参照すると、極性反転前の信号が「元信号」として示され、極性反転後の信号が「極性反転信号」として示されている。「元信号」は、パルス信号のパターン（１周期）が繰り返されてなる。図８に示した例においても、パルス信号のパターン（１周期）は、所定のパルス信号のパターン（１周期）を複数繋げて反転させて得られる信号の中に含まれないため、パルス信号のパターン（１周期）によって極性が検出され得る。なお、図８に示した例では、図６に示した例と同様に、「元信号」のＤｕｔｙ比が５０％である。
【００７４】
（２．第２の実施形態）
続いて、第２の実施形態について説明する。
【００７５】
（２−１．信号伝送システムの構成）
第２の実施形態に係る信号伝送システム１Ｂの構成例について説明する。第２の実施形態は、第１の実施形態と異なり、接続検出機構を有し、接続検出機構によって検出された接続検出時のみ極性検出を行う。図９は、第２の実施形態に係る信号伝送システム１Ｂの構成の一例を示す図である。図９に示すように、信号伝送システム１Ｂは、送信装置１０Ｂと受信装置２０Ｂとを有する。
【００７６】
また、第２の実施形態に係る送信装置１０Ｂは、接続検出部１３０、信号生成部１５０、送信信号切り替えスイッチ１２０−１１〜１２０−Ｍ２を有する点が第１の実施形態に係る送信装置１０Ａと主に異なっている。一方、第２の実施形態に係る受信装置２０Ｂは、接続検出部２３０を有する点が第１の実施形態に係る受信装置２０Ａと主に異なっている。第２の実施形態においては、第１の実施形態と異なる構成を主に説明する。
【００７７】
送信装置１０Ｂにおいて、接続検出部１３０は、接続（正接続または逆接続）を検出する。一例として、接続検出部１３０は、接続時に受信装置２０Ｂから接続検出用信号３０８を受信することによって接続を検出する。接続検出部１３０は、接続を検出すると、接続を検出した旨を示す接続検出結果信号を送信制御部１４０−１に出力する。
【００７８】
送信制御部１４０−１は、接続検出結果信号を検出すると、信号生成部１５０に極性反転検出用パターン出力開始指示信号を出力するとともに送信信号♯１１〜♯Ｍ２から信号生成部１５０に入力先を切り替えるための入力制御信号を送信信号切り替えスイッチ１２０−１１〜１２０−Ｍ２それぞれに出力する。信号生成部１５０は、極性反転検出用パターン出力開始指示信号に従って、極性反転検出用パターンの出力を開始し、送信信号切り替えスイッチ１２０−１１〜１２０−Ｍ２は、入力制御信号に従って、入力先を信号生成部１５０に切り替える。
【００７９】
受信装置２０Ｂにおいて、接続検出部２３０は、接続（正接続または逆接続）を検出する。一例として、接続検出部２３０は、接続時に送信装置１０Ｂから接続検出用信号３０７を受信することによって接続を検出する。接続検出部２３０は、接続を検出すると、接続を検出した旨を示す接続検出結果信号を受信制御部２４０に出力する。
【００８０】
受信制御部２４０は、接続検出結果信号を検出すると、受信器２１０−１〜２１０−Ｍそれぞれから入力される極性判定結果信号に対応する交換制御信号を受信器２１０−１〜２１０−Ｍそれぞれに出力する。スイッチ２１４−１は、交換制御信号に従って受信部２１２−１からの受信信号と受信部２１２−２からの受信信号とに対して交換を行わずに（無交換）または交換を行った後に後段に出力する。スイッチ２１４−２は、交換制御信号に従って受信部２１２−１からの受信信号と受信部２１２−２からの受信信号とに対して交換を行わずに（無交換）または交換を行った後に後段に出力する。
【００８１】
送信装置１０Ｂにおいて、送信制御部１４０−１は、極性反転検出用パターンの出力が開始されてから所定の時間経過後に、信号生成部１５０に極性反転検出用パターン出力停止指示信号を出力するとともに信号生成部１５０から送信信号♯１１〜♯Ｍ２に入力先を切り替えるための入力制御信号を送信信号切り替えスイッチ１２０−１１〜１２０−Ｍ２それぞれに出力する。信号生成部１５０は、極性反転検出用パターン出力停止指示信号に従って、極性反転検出用パターンの出力を停止し、送信信号切り替えスイッチ１２０−１１〜１２０−Ｍ２は、入力制御信号に従って、入力先を送信信号切り替えスイッチ１２０−１１〜１２０−Ｍ２それぞれに切り替える。
【００８２】
受信装置２０Ｂにおいて、受信制御部２４０−１は、極性検出部２１６−１および極性検出部２１６−２それぞれによって極性検出がなされてから所定の時間が経過して以降、次の接続が検出されるまでは、極性検出部２１６−１および極性検出部２１６−２それぞれによる極性検出がなされないように制御してもよい。また、受信制御部２４０−１は、スイッチ２１４−１およびスイッチ２１４−２それぞれへの交換制御信号の出力から所定の時間が経過して以降、次の接続が検出されるまでは、スイッチ２１４−１およびスイッチ２１４−２それぞれへの交換制御信号の出力をしなくてもよい。
【００８３】
（２−２．効果の説明）
以上に説明したように、本開示の第２の実施形態によれば、接続が検出された場合のみ、極性反転検出用パターンが送信される。したがって、本開示の第２の実施形態によれば、レーン３０５−１１〜３０５−Ｍ２を送信されるデータ量を低減することが可能となる。また、本開示の第２の実施形態によれば、接続が検出された場合のみ、極性検出および交換制御を行うことが可能となる。
【００８４】
（２−３．各種の変形例）
上記においては、接続検出部２３０が、接続時に送信装置１０Ｂから接続検出用信号３０７を受信することによって接続を検出する例を主に説明した。しかし、接続検出部２３０は、受信器２１０−１〜２１０−Ｍの全部または一部における受信状態に基づいて、接続を検出してもよい。例えば、接続検出部２３０は、受信器２１０−１〜２１０−Ｍのいずれかによって送信装置１０Ｂから正常に受信がなされているか否かによって、接続されているか否かを検出してもよい。
【００８５】
また、上記において、送信制御部１４０−１は、極性反転検出用パターンの出力が開始されてから所定の時間経過後に、極性反転検出用パターン出力停止指示信号を出力するとともに入力先を送信信号♯１１〜♯Ｍ２に切り替えるための入力制御信号を出力する例を主に説明した。しかし、受信装置２０Ｂは、極性検出が完了した場合、極性検出完了通知を送信装置１０Ｂに送信してもよい。このとき、送信装置１０Ｂは、極性検出完了通知を受信した場合に、極性反転検出用パターン出力停止指示信号を出力するとともに入力先を送信信号♯１１〜♯Ｍ２に切り替えるための入力制御信号を出力してもよい。
【００８６】
また、送信装置１０Ｂおよび受信装置２０Ｂそれぞれにおいて接続が検出された場合、送信装置１０Ｂおよび受信装置２０Ｂの間において、接続が検出されたタイミングを基準として極性反転検出用パターンの送受信タイミングを合わせることが可能となる。例えば、極性反転検出用パターンには、接続が検出された後の固定信号を含まれてよい。このとき、極性検出部２１６−１および極性検出部２１６−２それぞれは、固定信号が極性反転しているか否かに基づいて極性を検出すればよい。
【００８７】
図１０は、接続が検出された後に送信される固定信号の例を示す図である。図１０を参照すると、接続検出タイミング４１の後、極性検出タイミング４２の前に、極性反転検出用パターンの例として固定信号が送信されている。図１０には、固定信号がハイレベルに固定された信号によって示されている。このとき、固定信号の極性反転信号は、ローレベルに固定された信号となる。極性検出タイミング４２の後には、送信対象が極性反転検出用パターンから送信信号♯１１〜♯Ｍ２に切り替えられる。
【００８８】
（３．第３の実施形態）
続いて、第３の実施形態について説明する。
【００８９】
（３−１．信号伝送システムの構成）
第３の実施形態に係る信号伝送システム１Ｃの構成例について説明する。第３の実施形態は、第２の実施形態と異なり、接続検出がされた後、極性検出がされている場合のみ極性反転を行う。図１１は、第３の実施形態に係る信号伝送システム１Ｃの構成の一例を示す図である。図１１に示すように、信号伝送システム１Ｃは、送信装置１０Ｃと受信装置２０Ｃとを有する。
【００９０】
また、第３の実施形態に係る送信装置１０Ｃは、送信制御部１４０−１の代わりに送信制御部１４０−２を有する点が第２の実施形態に係る送信装置１０Ｂと主に異なっている。一方、第３の実施形態に係る受信装置２０Ｂは、受信制御部２４０−１の代わりに受信制御部２４０−２を有する点が第２の実施形態に係る受信装置２０Ｂと主に異なっている。第３の実施形態においては、第２の実施形態と異なる構成を主に説明する。
【００９１】
（３−２．送信装置の構成）
続いて、送信装置１０Ｃの構成について説明する。図１２は、第３の実施形態に係る送信器１１０の構成例を示す図である。図１２に示すように、第３の実施形態に係る送信器１１０は、極性反転部１１２−１の代わりに極性反転部１１２−２を備える。送信制御部１４０−２は、極性反転検出用パターンが送信されているか否かに応じて、送信器１１０−１〜１１０−Ｍそれぞれにおける極性反転部１１２−２による極性反転を有効にするか否かを極性反転制御信号１１８によって制御する。
【００９２】
より具体的には、送信制御部１４０−２は、信号生成部１５０に極性反転検出用パターン出力開始指示信号を出力した後、極性反転開始指示信号を極性反転部１１２−２に出力する。極性反転部１１２−２は、極性反転開始指示信号に従って極性反転を開始する。一方、送信制御部１４０−２は、信号生成部１５０に極性反転検出用パターン出力停止指示信号を出力した後、極性反転停止指示信号を極性反転部１１２−２に出力する。極性反転部１１２−２は、極性反転停止指示信号に従って極性反転を停止する。
【００９３】
（３−３．受信装置の構成）
続いて、受信装置２０Ｃの構成について説明する。図１３は、第３の実施形態に係る受信器２１０の構成例を示す図である。図１３に示すように、第３の実施形態に係る受信器２１０は、極性反転部２１５−１の代わりに極性反転部２１５−２を備える。受信制御部２４０−２は、極性判定結果信号を検出しているか否かに応じて、極性反転部２１５−２による極性反転を有効にするか否かを制御する。
【００９４】
より具体的には、受信制御部２４０−２は、受信器２１０−１〜２１０−Ｍから極性判定結果信号を検出した後、極性反転開始指示信号を極性反転部２１５−２に出力する。極性反転部２１５−２は、極性反転開始指示信号に従って極性反転を開始する。一方、受信制御部２４０−２は、受信器２１０−１〜２１０−Ｍから極性判定結果信号を検出しなくなった場合、極性反転停止指示信号を極性反転部２１５−２に出力する。極性反転部２１５−２は、極性反転停止指示信号に従って極性反転を停止する。
【００９５】
（３−４．効果の説明）
以上に説明したように、本開示の第３の実施形態によれば、接続検出がされた後、極性検出がされている場合のみ極性反転が行われる。したがって、本開示の第３の実施形態によれば、必要なときのみ極性反転が行われるため、送信装置１０Ｃおよび受信装置２０Ｃにおいて消費される電力量を低減することが可能となる。
【００９６】
（４．むすび）
以上説明したように、本開示の実施形態によれば、受信部２１２−１によって受信される第１の受信信号の極性と受信部２１２−２によって受信される第２の受信信号の極性反転結果の極性との少なくともいずれか一方を極性判定結果信号として検出する極性検出部２１６と、極性判定結果信号に基づいて、受信部２１２−１によって第１の受信信号の後に受信される第３の受信信号と受信部２１２−２によって第２の受信信号の後に受信される第４の受信信号との出力先を制御する受信制御部２４０−１と、を備える、受信装置（受信制御装置）２０Ａが提供される。
【００９７】
かかる構成によれば、回路規模の拡大を抑制しつつ、コネクタの裏表を反転させる逆接続に対応可能となる。より具体的に、本開示の実施形態によれば、逆接続検出用のレーンの追加を必要とせずとも逆接続に対応可能であり、かつ、差動信号を用いずとも逆接続に対応可能となる。
【００９８】
以上、添付図面を参照しながら本開示の好適な実施形態について詳細に説明したが、本開示の技術的範囲はかかる例に限定されない。本開示の技術分野における通常の知識を有する者であれば、請求の範囲に記載された技術的思想の範疇内において、各種の変更例または修正例に想到し得ることは明らかであり、これらについても、当然に本開示の技術的範囲に属するものと了解される。
【００９９】
例えば、送信装置１０が備える各機能ブロックは、別個のＩＣ（Ｉｎｔｅｇｒａｔｅｄ  Ｃｉｒｃｕｉｔ）に実装されてもよいし、いずれかの組み合わせが同一のＩＣに実装されてもよい。また、例えば、受信装置２０が備える各機能ブロックは、別個のＩＣに実装されてもよいし、いずれかの組み合わせが同一のＩＣに実装されてもよい。
【０１００】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏し得る。
【０１０１】
なお、以下のような構成も本開示の技術的範囲に属する。
（１）
第１の受信部によって受信される第１の受信信号の極性と第２の受信部によって受信される第２の受信信号の極性反転結果の極性との少なくともいずれか一方を極性判定結果信号として検出する極性検出部と、
前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、
を備える、受信制御装置。
（２）
前記第１の受信部に対して第１の送信部が接続され、かつ、前記第２の受信部に対して第２の送信部が接続される正接続と、前記第１の受信部に対して第２の送信部が接続され、かつ、前記第２の受信部に対して第１の送信部が接続される逆接続とのいずれかの接続が可能である、
前記（１）に記載の受信制御装置。
（３）
前記受信制御部は、前記極性判定結果信号が極性無反転を示す場合、前記第３の受信信号が第１の出力ポートに出力されるように制御するとともに、前記第４の受信信号が第２の出力ポートに出力されるように制御する、
前記（１）または（２）に記載の受信制御装置。
（４）
前記受信制御部は、前記極性判定結果信号が極性反転を示す場合、前記第３の受信信号が前記第２の出力ポートに出力されるように制御するとともに、前記第４の受信信号が前記第１の出力ポートに出力されるように制御する、
前記（３）に記載の受信制御装置。
（５）
前記受信制御装置は、
前記第２の受信信号の極性を反転させて前記第２の受信信号の極性反転結果を得る極性反転部を備える、
前記（１）〜（４）のいずれか一項に記載の受信制御装置。
（６）
前記極性反転部は、前記極性判定結果信号が極性無反転を示す場合、前記第４の受信信号の極性を反転させ、前記極性判定結果信号が極性反転を示す場合、前記第３の受信信号の極性を反転させる、
前記（５）に記載の受信制御装置。
（７）
前記第１の受信信号および前記第２の受信信号それぞれは、極性反転検出用パターンを含み、
前記極性検出部は、前記第１の受信信号および前記第２の受信信号の少なくともいずれか一方に含まれる前記極性反転検出用パターンに基づいて前記極性を検出する、
前記（１）〜（６）のいずれか一項に記載の受信制御装置。
（８）
前記極性反転検出用パターンは、極性反転の前後において対応するコードが変化する所定の信号を含み、
前記極性検出部は、前記所定の信号に対応するコードが変化したか否かに基づいて前記極性を検出する、
前記（７）に記載の受信制御装置。
（９）
前記極性反転検出用パターンは、所定のパルス信号のパターンを含み、
前記極性検出部は、前記所定のパルス信号のパターンが極性反転しているか否かに基づいて前記極性を検出する、
前記（７）に記載の受信制御装置。
（１０）
前記所定のパルス信号のパターンは、前記所定のパルス信号のパターンを複数繋げて反転させて得られる信号の中に含まれないパターンである、
前記（９）に記載の受信制御装置。
（１１）
前記受信制御装置は、
前記接続を検出する接続検出部を備え、
前記極性検出部は、前記接続が検出された場合に、前記極性判定結果信号を検出し、
前記受信制御部は、前記接続が検出された場合に、前記第３の受信信号と前記第４の受信信号との出力先を制御する、
前記（２）に記載の受信制御装置。
（１２）
前記第１の受信信号および前記第２の受信信号それぞれは、極性反転検出用パターンを含み、
前記極性反転検出用パターンは、前記接続が検出された後の固定信号を含み、
前記極性検出部は、前記固定信号が極性反転しているか否かに基づいて前記極性を検出する、
前記（１１）に記載の受信制御装置。
（１３）
前記受信制御部は、前記極性判定結果信号が検出されているか否かに応じて、前記極性反転部による極性反転を有効にするか否かを制御する、
前記（５）または（６）に記載の受信制御装置。
（１４）
第１の送信信号を送信する第１の送信部と、
第２の送信信号の極性反転結果を送信する第２の送信部と、を備え、
前記第１の送信信号の極性と前記第２の送信信号の極性反転結果の極性との少なくともいずれか一方に基づいて、受信装置における前記第１の送信信号および前記第２の送信信号の出力先が制御される、
送信制御装置。
（１５）
前記第１の送信部に対して第１の受信部が接続され、かつ、前記第２の送信部に対して第２の受信部が接続される正接続と、前記第１の送信部に対して第２の受信部が接続され、かつ、前記第２の送信部に対して第１の受信部が接続される逆接続とのいずれかの接続が可能である、
前記（１４）に記載の送信制御装置。
（１６）
前記送信制御装置は、
前記第２の送信信号の極性を反転させて前記第２の送信信号の極性反転結果を得る極性反転部を備える、
前記（１５）に記載の送信制御装置。
（１７）
前記送信制御装置は、
前記接続を検出する接続検出部と、
前記接続が検出された場合に、前記第１の送信信号と前記第２の送信信号との少なくともいずれか一方に極性反転検出用パターンを含める送信制御部と、
を備える、前記（１６）に記載の送信制御装置。
（１８）
前記送信制御部は、前記極性反転検出用パターンが送信されているか否かに応じて、前記極性反転部による極性反転を有効にするか否かを制御する、
前記（１７）に記載の送信制御装置。
（１９）
第１の送信信号を送信する第１の送信部と、
第２の送信信号の極性反転結果を送信する第２の送信部と、
を備える、送信制御装置と、
第１の受信部によって受信される第１の受信信号の極性と第２の受信部によって受信される第２の受信信号の極性反転結果の極性との少なくともいずれか一方を極性判定結果信号として検出する極性検出部と、
前記極性判定結果信号に基づいて、前記第１の受信部によって前記第１の受信信号の後に受信される第３の受信信号と前記第２の受信部によって前記第２の受信信号の後に受信される第４の受信信号との出力先を制御する受信制御部と、
を備える、受信制御装置と、
を有する、送受信制御システム。
（２０）
前記第１の送信部に対して第１の受信部が接続され、かつ、前記第２の送信部に対して第２の受信部が接続される正接続と、前記第１の送信部に対して第２の受信部が接続され、かつ、前記第２の送信部に対して第１の受信部が接続される逆接続とのいずれかの接続が可能である、
前記（１９）に記載の送受信制御システム。
【符号の説明】
【０１０２】
１（１Ａ〜１Ｃ）  信号伝送システム
１０（１０Ａ〜１０Ｃ）  送信装置
１１０  送信器
１１１  入力ポート
１１２  極性反転部
１１３  送信部
１１９  出力ポート
１２０  スイッチ
１３０  接続検出部
１４０  送信制御部
１５０  信号生成部
１９０  レセプタ
２０（２０Ａ〜２０Ｃ）  受信装置
２１０  受信器
２１１  入力ポート
２１２  受信部
２１３  交換制御信号
２１４  スイッチ
２１５  極性反転部
２１６  極性検出部
２１７  極性判定結果信号
２１９  出力ポート
２３０  接続検出部
２４０  受信制御部
２９０  レセプタ
３０    伝送路
３０５  レーン
【図１】
2018131242.tif 000003
【図２】
2018131242.tif 000004
【図３】
2018131242.tif 000005
【図４】
2018131242.tif 000006
【図５】
2018131242.tif 000007
【図６】
2018131242.tif 000008
【図７】
2018131242.tif 000009
【図８】
2018131242.tif 000010
【図９】
2018131242.tif 000011
【図１０】
2018131242.tif 000012
【図１１】
2018131242.tif 000013
【図１２】
2018131242.tif 000014
【図１３】
2018131242.tif 000015
【国際調査報告】
2018131242.tif 000016
2018131242.tif 000017